(57)【要約】【課題】景品の入出庫管理の整合性を担保することを課題とする。【解決手段】演算部１７ａは、入出庫管理項目（例えば、本日出庫金額及び本日交換粗利など）の算出対象となる景品の交換玉数及び出庫数を乗算して交換玉総数を算出し、該算出した交換玉総数を基準玉数で除算し、得られる商を無誤差金額算出部１７ｂへ出力し、得られる剰余を有誤差金額算出部１７ｃへ出力する。無誤差金額算出部１７ｂは、演算部１７ａから出力される商に基準金額を乗算して、交換玉総数から剰余分を除いた玉数に相当し、丸め誤差を含まない無誤差金額を算出する。有誤差金額算出部１７ｃは、演算部１７ａから出力される剰余に玉の税込単価を乗算して、剰余分の玉数に相当し、丸め誤差を含む有誤差金額を算出する。出庫金額算出部１７ｄは、有誤差金額および無誤差金額を合計して当該景品の出庫金額を算出する。【選択図】        図１
2008093033.tif 000002
【特許請求の範囲】
【請求項１】
景品と等価に交換される交換遊技媒体数、前記景品の出庫数及び遊技媒体単価に基づいて、当該景品の出庫金額を管理する景品管理装置であって、
前記景品の交換遊技媒体数及び出庫数から得られる交換遊技媒体総数の一部を遊技媒体貸出時における貸出遊技媒体数に対する貸出金額と比率が等しい無誤差金額に換算する換算手段と、
前記換算手段によって換算された無誤差金額を含み交換遊技媒体総数に相当する金額を当該景品の出庫金額として算出する出庫金額算出手段と
を備えたことを特徴とする景品管理装置。
【請求項２】
前記換算手段は、前記遊技媒体貸出時における貸出遊技媒体数および貸出金額と比率が等しい基準遊技媒体数および基準金額を用いて、前記交換遊技媒体総数のうち基準遊技媒体数の倍数に相当する分を基準金額の倍数である無誤差金額に換算することを特徴とする請求項１記載の景品管理装置。
【請求項３】
前記換算手段は、
前記交換遊技媒体総数を基準遊技媒体数で除算する演算手段と、
前記演算手段によって得られる商と基準金額とを乗算して無誤差金額を算出する無誤差金額算出手段とをさらに備えた
ことを特徴とする請求項２記載の景品管理装置。
【請求項４】
前記換算手段は、
前記演算手段によって得られる剰余と丸め誤差を含む遊技媒体の単価とを乗算して、前記換算手段によって無誤差金額に換算されない残りの交換遊技媒体総数に相当する有誤差金額を算出する有誤差金額算出手段をさらに備え、
前記出庫金額算出手段は、
前記無誤差金額算出手段によって算出された無誤差金額及び前記有誤差金額算出手段によって算出された有誤差金額を合計して当該景品の出庫金額を算出することを特徴とする請求項３記載の景品管理装置。
【請求項５】
景品と等価に交換される交換遊技媒体数、前記景品の出庫数及び遊技媒体単価に基づいて、当該景品の出庫金額を管理する景品管理装置であって、
前記景品の出庫数及び単位遊技媒体数の積から得られる仮想交換遊技媒体総数の一部を遊技媒体貸出時における貸出遊技媒体数に対する貸出金額と比率が等しい無誤差金額に換算する換算手段と、
前記換算手段によって換算された無誤差金額を含み出庫数に相当する交換遊技媒体数を単位遊技媒体とした時の出庫金額及び前記景品の交換遊技媒体数を乗算して、当該景品の出庫金額を算出する出庫金額算出手段と
を備えたことを特徴とする景品管理装置。
【請求項６】
景品と等価に交換される交換遊技媒体数、前記景品の出庫数及び遊技媒体単価に基づいて、当該景品の出庫金額を管理する景品管理装置であって、
前記景品の交換遊技媒体数の一部を遊技媒体貸出時における貸出遊技媒体数に対する貸出金額と比率が等しい無誤差金額に換算する換算手段と、
前記換算手段によって換算された無誤差金額を含み交換遊技媒体数に相当する景品の販売単価及び前記景品の出庫数を乗算して、当該景品の出庫金額を算出する出庫金額算出手段と
を備えたことを特徴とする景品管理装置。
【請求項７】
景品と等価に交換される交換遊技媒体数、前記景品の出庫数及び遊技媒体単価に基づいて、当該景品の出庫金額を管理する景品管理方法であって、
前記景品の交換遊技媒体数及び出庫数から得られる交換遊技媒体総数の一部を遊技媒体貸出時における貸出遊技媒体数に対する貸出金額と比率が等しい無誤差金額に換算する換算工程と、
前記換算工程によって換算された無誤差金額を含み交換遊技媒体総数に相当する金額を当該景品の出庫金額として算出する出庫金額算出工程と
を含んだことを特徴とする景品管理方法。
【発明の詳細な説明】
【技術分野】
【０００１】
本発明は、景品が交換される交換遊技媒体数、景品の出庫数及び遊技媒体単価に基づいて、当該景品の出庫金額を管理する景品管理装置及び景品管理方法に関する。
【背景技術】
【０００２】
現在、例えばパチンコ店やパチスロ店などの遊技店においては、玉やメダルなどの遊技媒体を用いた遊技に係る消費税を遊技店が営業利益の中から負担するのが一般的である。しかし、将来的に消費税率が上昇すると、遊技店の負担が大きくなることから、遊技客が自らの遊技に係る消費税を負担するようになると考えられる。
【０００３】
このとき、遊技店内で流通する貨幣の金種が限定されていることなどから、例えば特許文献１に記載されているように、遊技媒体の貸し出し時に貸し出される遊技媒体数を調整して遊技客から消費税を徴収するのが現実的である。すなわち、例えば現在１００円でパチンコに用いられる玉が２５玉貸し出されるところを、１００円で２４玉貸し出されるようにすることにより、玉の税込単価を４円から４．１７（≒１００／２４）円にすることが考えられる。こうすることにより、遊技店では消費税の負担分の一部を遊技客から徴収することができ、営業利益の減少を抑制することができる。
【０００４】
消費税分を遊技客が負担する場合、遊技媒体が貸し出される際の税込単価が現状と比べて上昇することになるため、景品カウンターにおける景品交換時にも、遊技媒体の単価が上昇することになる。すなわち、現在は１玉につき４円相当の景品と交換されるのに対し、上述の調整後には、１玉につき４．１７円相当の景品と交換されるようになる。
【０００５】
ここで、遊技店においては、景品と等価に交換される交換遊技媒体数、景品の出庫数及び遊技媒体単価を乗算して当該景品の出庫金額（交換売上）を算出し、その出庫金額から仕入れ単価（原価）と出庫数との積を減算して交換粗利を算出したり、また、景品の繰越在庫数と仕入れ単価との積から出庫金額を減算して当該景品の在庫金額を算出したりすることで、景品の入出庫管理を行っている。
【０００６】
【特許文献１】特開２００６−１５８６３５号公報
【発明の開示】
【発明が解決しようとする課題】
【０００７】
しかしながら、貸し出される遊技媒体数を調整して遊技客から消費税を徴収する場合には、消費税率や遊技媒体貸出時に単位となる金額などによっては、遊技媒体の税込単価が遊技媒体貸出時と出庫金額算出時とで異なることがあるという問題がある。
【０００８】
すなわち、例えば上述したように１００円で２４玉が貸し出される場合、遊技媒体貸出時の玉の税込単価は、正確には４．１６６・・・円であるにも拘らず、金額が循環小数では扱い難いため出庫額算出時には玉の税込単価が４．１７円とされ、出庫金額が算出されることになってしまう。つまり、遊技媒体貸出時には、遊技媒体単価が４．１６６・・・円／玉（＝１００円／２４玉）で貸し出されるのに対し、出庫金額算出時には、遊技媒体単価が４．１７円／玉（＝１００．０８円／２４玉）で出庫金額が算出されるので、遊技媒体貸出時と出庫金額算出時とで遊技媒体単価にずれが生じることになる。
【０００９】
したがって、出庫金額算出時には、遊技媒体単価に乗算される交換玉数及び出庫数の値が大きければ大きいほど、かかる遊技媒体単価のずれが丸め誤差として拡大されることになり、丸め誤差の影響が大きい出庫金額が算出されるので、景品の入出庫管理（例えば、交換粗利や在庫金額の管理）の整合性を担保することができない。同様の問題は、パチスロに用いられるメダルにおいても発生する。
【００１０】
そこで、本発明は、上述した従来技術による課題（問題点）を解消するためになされたものであり、貸出単位金額に対して貸し出される遊技媒体数が調整される場合に、遊技媒体単価の丸め誤差による影響が低減された出庫金額を算出し、もって景品の入出庫管理の整合性を担保することができる景品管理装置及び景品管理方法を提供することを目的とする。
【課題を解決するための手段】
【００１１】
上述した課題を解決し、目的を達成するために、請求項１の発明に係る景品管理装置は、景品と等価に交換される交換遊技媒体数、前記景品の出庫数及び遊技媒体単価に基づいて、当該景品の出庫金額を管理する景品管理装置であって、前記景品の交換遊技媒体数及び出庫数から得られる交換遊技媒体総数の一部を遊技媒体貸出時における貸出遊技媒体数に対する貸出金額と比率が等しい無誤差金額に換算する換算手段と、前記換算手段によって換算された無誤差金額を含み交換遊技媒体総数に相当する金額を当該景品の出庫金額として算出する出庫金額算出手段とを備えたことを特徴とする。
【００１２】
また、請求項２の発明に係る景品管理装置は、上記の発明において、前記換算手段は、前記遊技媒体貸出時における貸出遊技媒体数および貸出金額と比率が等しい基準遊技媒体数および基準金額を用いて、前記交換遊技媒体総数のうち基準遊技媒体数の倍数に相当する分を基準金額の倍数である無誤差金額に換算することを特徴とする。
【００１３】
また、請求項３の発明に係る景品管理装置は、上記の発明において、前記換算手段は、前記交換遊技媒体総数を基準遊技媒体数で除算する演算手段と、前記演算手段によって得られる商と基準金額とを乗算して無誤差金額を算出する無誤差金額算出手段とをさらに備えたことを特徴とする。
【００１４】
また、請求項４の発明に係る景品管理装置は、上記の発明において、前記換算手段は、前記演算手段によって得られる剰余と丸め誤差を含む遊技媒体の単価とを乗算して、前記換算手段によって無誤差金額に換算されない残りの交換遊技媒体総数に相当する有誤差金額を算出する有誤差金額算出手段をさらに備え、前記出庫金額算出手段は、前記無誤差金額算出手段によって算出された無誤差金額及び前記有誤差金額算出手段によって算出された有誤差金額を合計して当該景品の出庫金額を算出することを特徴とする。
【００１５】
また、請求項５の発明に係る景品管理装置は、上記の発明において、景品と等価に交換される交換遊技媒体数、前記景品の出庫数及び遊技媒体単価に基づいて、当該景品の出庫金額を管理する景品管理装置であって、前記景品の出庫数及び単位遊技媒体数の積から得られる仮想交換遊技媒体総数の一部を遊技媒体貸出時における貸出遊技媒体数に対する貸出金額と比率が等しい無誤差金額に換算する換算手段と、前記換算手段によって換算された無誤差金額を含み出庫数に相当する交換遊技媒体数を単位遊技媒体とした時の出庫金額及び前記景品の交換遊技媒体数を乗算して、当該景品の出庫金額を算出する出庫金額算出手段とを備えたことを特徴とする。
【００１６】
また、請求項６の発明に係る景品管理装置は、上記の発明において、景品と等価に交換される交換遊技媒体数、前記景品の出庫数及び遊技媒体単価に基づいて、当該景品の出庫金額を管理する景品管理装置であって、前記景品の交換遊技媒体数の一部を遊技媒体貸出時における貸出遊技媒体数に対する貸出金額と比率が等しい無誤差金額に換算する換算手段と、前記換算手段によって換算された無誤差金額を含み交換遊技媒体数に相当する景品の販売単価及び前記景品の出庫数を乗算して、当該景品の出庫金額を算出する出庫金額算出手段とを備えたことを特徴とする。
【００１７】
また、請求項７の発明に係る景品管理方法は、景品と等価に交換される交換遊技媒体数、前記景品の出庫数及び遊技媒体単価に基づいて、当該景品の出庫金額を管理する景品管理方法であって、前記景品の交換遊技媒体数及び出庫数から得られる交換遊技媒体総数の一部を遊技媒体貸出時における貸出遊技媒体数に対する貸出金額と比率が等しい無誤差金額に換算する換算工程と、前記換算工程によって換算された無誤差金額を含み交換遊技媒体総数に相当する金額を当該景品の出庫金額として算出する出庫金額算出工程とを含んだことを特徴とする。
【発明の効果】
【００１８】
本発明によれば、景品の交換遊技媒体数及び出庫数から得られる交換遊技媒体総数の一部を遊技媒体貸出時における貸出遊技媒体数に対する貸出金額と比率が等しい無誤差金額に換算し、該換算した無誤差金額を含み交換遊技媒体総数に相当する金額を当該景品の出庫金額として算出することとしたので、交換遊技媒体総数の一部については遊技媒体の貸出時と同等の価値で出庫金額が算出されることになって丸め誤差が生じることがなく、貸出単位金額に対して貸し出される遊技媒体数が調整される場合に、遊技媒体単価の丸め誤差による影響が低減された出庫金額を算出することができ、景品の入出庫管理の整合性を担保することが可能な景品管理装置及び景品管理方法が得られるという効果を奏する。
【００１９】
また、本発明によれば、遊技媒体貸出時における貸出遊技媒体数および貸出金額と比率が等しい基準遊技媒体数および基準金額を用いて、交換遊技媒体総数のうち基準遊技媒体数の倍数に相当する分を基準金額の倍数である無誤差金額に換算することとしたので、交換遊技媒体総数を金額に小数点以下の端数が生じない範囲で最大の無誤差金額に換算することができ、遊技媒体単価の丸め誤差による影響をより低減することが可能な景品管理装置が得られるという効果を奏する。
【００２０】
また、本発明によれば、交換遊技媒体総数を基準遊技媒体数で除算し、この除算結果で得られる商と基準金額とを乗算して無誤差金額を算出することとしたので、金額に小数点以下の端数が生じない範囲で最大の無誤差金額を確実に求めることが可能な景品管理装置が得られるという効果を奏する。
【００２１】
また、本発明によれば、除算によって得られる剰余と丸め誤差を含む遊技媒体の単価とを乗算して、無誤差金額に換算されない残りの交換遊技媒体総数に相当する有誤差金額を算出し、算出した無誤差金額及び有誤差金額を合計して当該景品の出庫金額を算出することとしたので、無誤差金額に換算されない交換遊技媒体総数についても金額に換算され、交換遊技媒体総数全体に対する出庫金額を算出することが可能な景品管理装置が得られるという効果を奏する。
【００２２】
また、本発明によれば、景品の出庫数及び単位遊技媒体数の積から得られる仮想交換遊技媒体総数の一部を遊技媒体貸出時における貸出遊技媒体数に対する貸出金額と比率が等しい無誤差金額に換算し、換算した無誤差金額を含み出庫数に相当する交換遊技媒体数を単位遊技媒体とした時の出庫金額及び景品の交換遊技媒体数を乗算して、当該景品の出庫金額を算出することとしたので、貸出単位金額に対して貸し出される遊技媒体数が調整される場合に遊技媒体単価に丸め誤差が生じても、遊技媒体単価の丸め誤差による影響が低減された単位玉出庫金額、ひいては出庫金額を算出することができ、景品の入出庫管理の整合性を担保することが可能な景品管理装置が得られるという効果を奏する。
【００２３】
また、本発明によれば、景品の交換遊技媒体数の一部を遊技媒体貸出時における貸出遊技媒体数に対する貸出金額と比率が等しい無誤差金額に換算し、換算した無誤差金額を含み交換遊技媒体数に相当する景品の販売単価及び景品の出庫数を乗算して、当該景品の出庫金額を算出することとしたので、貸出単位金額に対して貸し出される遊技媒体数が調整される場合に遊技媒体単価に丸め誤差が生じても、遊技媒体単価の丸め誤差による影響が低減された景品の販売単価、ひいては出庫金額を算出することができ、景品の入出庫管理の整合性を担保することが可能な景品管理装置が得られるという効果を奏する。
【発明を実施するための最良の形態】
【００２４】
以下の添付図面を参照して、本発明に係る景品管理装置及び景品管理方法の好適な実施例を詳細に説明する。なお、以下では、本発明に係る景品管理装置（景品管理方法）を実施例１として説明した後に、本発明に含まれる他の実施例を実施例２として説明する。
【実施例１】
【００２５】
以下の実施例１では、実施例１に係る景品管理装置の概要および特徴を説明し、この景品管理装置の構成および処理の流れを順に説明する。なお、本実施例では、本発明をパチンコ遊技を対象とする遊技システムに適用する例を説明するが、パチスロ遊技を対象としてさらに含めた遊技システム又はパチスロ遊技のみを対象とする遊技システムにも本発明を同様に適用することができる。
【００２６】
［概要および特徴］
前述したように、実施例１に係る景品管理装置の概要および特徴を説明する。図１は、実施例１に係る景品管理装置１０の構成を示す機能ブロック図である。同図に示すように、この景品管理装置１０は、遊技店の景品カウンターに設置され、遊技媒体の景品交換を管理する景品交換機能を備える他、遊技店における景品の入庫（仕入れ）及び出庫（交換）の管理を行う入出庫管理機能も備えている。
【００２７】
ここで、本実施例１に係る景品管理装置１０は、景品と等価に交換される交換遊技媒体数及び出庫数から得られる交換遊技媒体総数の一部を遊技媒体貸出時における貸出遊技媒体数に対する貸出金額と比率が等しい無誤差金額に換算し、該換算した無誤差金額を含み交換遊技媒体総数に相当する金額を当該景品の出庫金額として算出する点に主たる特徴がある。
【００２８】
すなわち、例えば上述したように１００円で２５玉が貸し出されるところを、１００円で２４玉が貸し出されるように調整して遊技客から消費税を徴収する消費税対応が行われた場合に、遊技店においては、遊技媒体貸出時には遊技媒体単価が４．１６６・・・円／玉（＝１００円／２４玉）で貸し出される一方で、出庫金額算出時には遊技媒体単価が４．１７円／玉（＝１００．０８円／２４玉）で出庫金額が算出されるので、このようにして算出された出庫金額１００円当りに０・０８円の誤差が含まれることになる。
【００２９】
そこで、実施例１に係る景品管理装置１０では、玉単価に乗算される交換玉数及び出庫数の積（交換玉総数）の一部を玉貸出時における貸出玉数に対する貸出金額と比率が等しい無誤差金額に換算することで、交換遊技媒体数の一部については玉貸出時と同等の価値に換算して出庫金額を算出し、玉単価の丸め誤差による影響を低減することができるようにしている。
【００３０】
つまり、上記した従来技術の例で言えば、景品と等価に交換される交換玉数、その景品の出庫数及び玉単価を画一的に乗算することで、玉単価の丸め誤差による影響を出庫金額に生じさせるのではなく、上記した主たる特徴のごとく、交換玉総数の一部を玉貸出時における貸出玉数に対する貸出金額と比率が等しい無誤差金額に換算し、該換算した無誤差金額を含み交換玉総数に相当する金額を当該景品の出庫金額として算出することで、貸出単位金額に対して貸し出される遊技媒体数が調整される場合に、玉単価の丸め誤差による影響が低減された出庫金額を算出することができ、景品の入出庫管理の整合性を担保することを可能としている。
【００３１】
［景品管理装置の構成］
続いて、本実施例１に係る景品管理装置１０の構成を説明する。図１に示すように、この景品管理装置１０は、遊技客用操作部１１ａと、遊技客用表示部１１ｂと、従業員用操作部１２ａと、従業員用表示部１２ｂと、通信制御ＩＦ部１３と、バーコードリーダ１４と、プリンタ１５と、記憶部１６と、制御部１７とを備える。
【００３２】
このうち、遊技客用操作部１１ａは、遊技客によって行われる各種操作に対応した操作キーの総称であり、例えば、景品の選択入力を受け付ける選択キーなどの各種操作キーが設けられている。また、遊技客用表示部１１ｂは、液晶パネルやディスプレイなど表示デバイスで構成された遊技客用の表示入力手段であり、例えば、バーコードリーダ１４によって計数レシートから読み取られた獲得玉数を表示する。
【００３３】
従業員用操作部１２ａは、従業員によって行われる各種操作に対応した操作キーの総称であり、例えば、景品の選択入力を受け付ける選択キー、「締上げ処理」等各処理の指示入力キーなどを備える。また、従業員用表示部１２ｂは、遊技客用表示部１２ｂと同様の表示デバイスで構成されるが、表示内容は遊技客用表示部１２ｂと必ずしも同一とは限らず、本発明に関連する画面表示としては、「締上げ処理」にて算出される各景品ごとの本日出庫金額や本日交換粗利を画面表示したりする。
【００３４】
通信制御ＩＦ部１３は、当該景品管理装置１０に接続される各種装置（例えば、貯玉／貯メダルの管理を行うターミナル・コントローラ（以下、「会員カードＴ／Ｃ」と称す）、「島」と呼ばれる区域に設置された複数の遊技媒体貸出機及び会員カードＴ／Ｃ間のデータ授受を中継する島コントローラ、パチンコ玉を計数する玉計数機や特殊景品の自動払出しを行う景品払出機などの装置）との間で各種通信の制御を行う処理部である。なお、ここで言う「遊技媒体貸出機」は、会員カードＴ／Ｃで管理している貯玉・貯メダルを用いて再プレイができる。また、現金・プリペイドカードによって、遊技媒体の貸出を行うこともできるが、この場合は会員カードＴ／Ｃとは別のプリペイドカードＴ／Ｃと接続されており、プリペイドカードＴ／Ｃで管理している。
【００３５】
バーコードリーダ１４は、バーコードを読み取るバーコードリーダであり、具体的には、図示しない計数機によって発行された計数レシートにバーコード印字されている玉数を読み取って制御部１７に出力する。なお、計数レシートには、獲得玉数が直接記録されていても良いし、獲得玉数に対応付けられたレシートＩＤのみが記録されていても良い。
【００３６】
プリンタ１５は、各種情報を紙媒体に印字する処理部であり、例えば、景品管理装置１０にて景品交換処理された内容（例えば、総玉数、交換済み玉数などの項目）を印字して交換明細として発行したり、また、遊技店の営業終了後には、景品の入出庫管理（例えば、景品出庫による粗益管理）に係る情報を「締上げ票」として発行したりする。
【００３７】
記憶部１６は、制御部１７による各種処理に必要なデータおよびプログラムを格納する格納手段（記憶手段）であり、本発明に関連する情報として、交換管理テーブル１６ａ、原価管理テーブル１６ｂ及び入出庫管理テーブル１６ｃを有している。
【００３８】
このうち、交換管理テーブル１６ａは、当該景品管理装置１０における獲得玉と景品の交換を管理するためのテーブルであり、具体的には、景品ごとにその景品と等価に交換される交換玉数及び出庫数を対応付けて記憶している。例えば、図２に示すように、景品「ライター」に交換玉数「２６（玉）」及び出庫数「８３（個）」を、・・・を対応付けて記憶している。なお、本実施例１では、玉貸し時に１００円で２４玉貸し出されるように調節することにより、玉の税込単価を４円／玉から４．１７（≒１００／２４）円／玉にすることで消費税を徴収する消費税対応を行う例に本発明を適用したが、消費税率や遊技店が設定する遊技客の消費税負担割合を任意に変更した場合でも同様に適用することができる。また、これら「景品」、「交換玉数」及び「出庫数」のレコードからなるファイルは、景品のカテゴリ（例えば、雑貨の他、タバコ、食料や飲料などのカテゴリ）、さらには営業日ごとに作成・記憶されている。
【００３９】
原価管理テーブル１６ｂは、遊技店にて取り扱っている景品の原価（仕入れ単価）を管理するためのテーブルであり、具体的には、景品ごとに仕入れ単価を対応付けて記憶している。例えば、図３に示すように、景品「ライター」ごとに仕入れ単価「５２．００（円）」を、・・・を対応付けて記憶している。なお、ここでは、仕入れ単価に過度のばらつきが生じするのを抑制するために、本日の仕入れ単価と過去３日の仕入れ単価とが平均された移動平均原価を図中の仕入れ単価として用いている。また、これら「景品」及び「仕入れ単価」のレコードからなるファイルは、景品のカテゴリ（例えば、雑貨の他、タバコ、食料や飲料などのカテゴリ）、さらには営業日ごとに作成・記憶されている。
【００４０】
入出庫管理テーブル１６ｃは、景品の入庫（仕入れ）及び出庫（交換）を管理するためのテーブルであり、具体的には、景品ごとに本日出庫金額及び本日交換粗利を対応付けて記憶している。例えば、図４に示すように、景品「ライター」ごとに本日出庫金額「８９９１．６８（円）」及び本日交換粗利「４６７５．６８（円）」を、・・・を対応付けて記憶している。なお、これら「景品」、「本日出庫金額」及び「本日交換粗利」のレコードからなるファイルは、景品のカテゴリ（例えば、雑貨の他、タバコ、食料や飲料などのカテゴリ）、さらには営業日ごとに作成・記憶されている。
【００４１】
制御部１７は、ＯＳ（Operating System）などの制御プログラム、各種の処理手順（例えば、総獲得玉数から交換景品分の玉数を減算する景品交換処理）などを規定したプログラムおよび所要データを格納するための内部メモリを有し、これらによって種々の処理を実行する処理部であり、特に本発明に密接に関連するものとしては、演算部１７ａと、無誤差金額算出部１７ｂと、有誤差金額算出部１７ｃと、出庫金額算出部１７ｄと、締上げ処理部１７ｅとを備える。
【００４２】
このうち、演算部１７ａは、玉貸出時に貸出単位金額に対して貸し出される玉数から基準金額および基準玉数をあらかじめ設定している。例えば１００円の貸出単位金額に対して２４玉が貸し出される場合、基準金額と基準玉数の比が１００対２４となるように、例えば基準金額Ａを２５円かつ基準玉数Ｂを６玉として設定しておく。
【００４３】
また、演算部１７ａは、交換管理テーブル１６ａに記憶された交換玉数Ｃ及び出庫数Ｄを乗算して交換玉総数Ｘを算出する。具体的には、例えば景品「ライター」に関する入出庫管理項目（例えば、本日出庫金額及び本日交換粗利など）を算出する例を挙げると、景品「ライター」の交換玉数Ｃが「２６（玉）」かつ出庫数Ｄが「８３（個）」である場合、交換玉数Ｃ及び出庫数Ｄを乗算して交換玉総数「２１５８（玉）」（＝２６×８３）を算出する。
【００４４】
その上で、演算部１７ａは、交換玉総数を基準玉数で除算し、得られる商を無誤差金額算出部１７ｂへ出力し、得られる剰余を有誤差金額算出部１７ｃへ出力する。具体的には、例えば交換玉総数Ｘが「２１５８（玉）」かつ基準玉数Ｂが「６（玉）」である場合、商の３５９（＝２１５８／６）を無誤差金額算出部１７ｂへ出力し、剰余の４（＝２１５８％６、ただし「％」は剰余演算を表す）を有誤差金額算出部１７ｃへ出力する。
【００４５】
無誤差金額算出部１７ｂは、演算部１７ａから出力される商に基準金額を乗算して、交換玉総数から剰余分を除いた玉数に相当し、丸め誤差を含まない無誤差金額を算出する。具体的には、例えば上述の例のように商が３５９であり、基準金額が２５円である場合、無誤差金額算出部１７ｂは、無誤差金額を８９７５（＝３５９×２５）円と算出する。
【００４６】
有誤差金額算出部１７ｃは、演算部１７ａから出力される剰余に玉の税込単価を乗算して、剰余分の玉数に相当し、丸め誤差を含む有誤差金額を算出する。具体的には、例えば上述の例のように剰余が４であり、玉の税込単価が４．１７円である場合、有誤差金額算出部１７ｃは、有誤差金額を１６．６８（＝４．１７×４）円と算出する。
【００４７】
出庫金額算出部１７ｄは、無誤差金額算出部１７ｂによって算出された無誤差金額及び有誤差金額算出部１７ｃによって算出された有誤差金額を合計して当該景品の出庫金額を算出する。具体的には、例えば上述の例のように無誤差金額が「８９７５（円）」であり、有誤差金額が「１６．６８（円）」である場合、これらの合計を景品「ライター」の出庫金額「８９９１．６８（円）」（＝８９７５＋１６．６８）として算出し、該算出した出庫金額を入出庫管理テーブル１６ｃに登録する。
【００４８】
締上げ処理部１７ｅは、出庫金額算出部１７ｄによって算出された出庫金額及び原価管理テーブル１６ｂに記憶された原価（仕入れ単価）に基づいて、当該景品の交換粗利を算出する。具体的には、例えば上述した例のように景品「ライター」の出庫金額が「８９９１．６８（円）」と算出されたことを契機として、原価管理テーブル１６ｂから景品「ライター」の仕入れ単価「５２．００（円）」を読み出し、その仕入れ単価に出庫数を乗算して出庫金額に対応する仕入れ金額を４３１６（＝５２×８３）円と算出し、さらに出庫金額からその仕入れ金額を減算して、景品「ライター」の交換粗利を４６７５．６８（＝８９９１．６８−４３１６）円と算出する。そして、締上げ処理部１７ｅは、このようにして算出した景品「ライター」の交換粗利「４６７５．６８（円）」を入出庫管理テーブル１６ｃに登録し、入出庫管理テーブル１６ｃに登録されている景品すべてについて交換粗利を算出するまで、演算部１７ａ、無誤差金額算出部１７ｂ、有誤差金額算出部１７ｃ及び出庫金額算出部１７ｄと協働して各景品の交換粗利を算出し、入出庫管理テーブル１６ｃにおける登録景品すべてについて交換粗利を算出すると、入出庫管理テーブル１６ｃに記憶された本日出庫金額及び本日交換粗利を集計し、それぞれの集計値を入出庫管理テーブル１６ｃに記憶された記憶内容（図４参照）に付した「締上げ票」を印字するようにプリンタ１５に要請する。
【００４９】
［処理の流れ］
次に、本実施例１に係る景品管理装置の処理の流れを説明する。図５は、実施例１に係る景品管理装置１０の締上げ処理の手順を示すフローチャートである。この「締上げ処理」は、遊技店の営業終了時刻を途過し、かつ従業員用操作部１２ａを通じて「締上げ票」の作成要求を受け付けた場合に開始される。
【００５０】
図５に示すように、まず、演算部１７ａにおいては、玉貸出時における貸出単位金額と貸し出される玉数とから基準金額Ａと基準玉数Ｂとが設定される（ステップＳ５０１）。すなわち、演算部１７ａにおいて、丸め誤差が生じない金額と玉数の比が設定される。したがって、例えば貸出単位金額が１００円で貸し出される玉数が２４玉である場合、金額と玉数の比が２５対６であれば丸め誤差が生じないことから、例えば基準金額Ａが２５円と設定され、基準玉数Ｂが６玉と設定される。このように設定される基準金額Ａおよび基準玉数Ｂは、あらかじめ演算部１７ａに保持されている。なお、以後の処理にて入出庫管理項目（例えば、本日出庫金額及び本日交換粗利）を算出する景品の順番についても、あらかじめ演算部１７ａに設定されている。
【００５１】
そして、演算部１７ａは、あらかじめ設定された順番に該当する景品の交換玉数Ｃ及び出庫数Ｄを交換管理テーブル１６ａから読み出し（ステップＳ５０２及びステップＳ５０３）、該読み出した交換玉数Ｃ及び出庫数Ｄを乗算して交換玉総数Ｘを算出する（ステップＳ５０４）。具体的に例を挙げると、例えば景品「ライター」が入出庫管理項目の算出対象である場合、交換管理テーブル１６ａから景品「ライター」の交換玉数Ｃ（＝２６（玉））及び出庫数Ｄ（＝８３（個））を読み出し、該読み出した交換玉数Ｃ及び出庫数Ｄを乗算して交換玉総数Ｘを２１５８（＝２６×８３）と算出する。
【００５２】
続いて、演算部１７ａは、交換玉総数Ｘを基準玉数Ｂで除算して商Ｐと剰余Ｑを算出する（ステップＳ５０５）。これらのうち、商Ｐは、演算部１７ａによって無誤差金額算出部１７ｂへ出力され、この出力を受け付けた無誤差金額算出部１７ｂは、かかる商Ｐに基準金額Ａを乗算して、丸め誤差の影響を受けない無誤差金額Ｅを算出する（ステップＳ５０６）。すなわち、基準金額Ａは、基準玉数Ｂが貸し出される際の金額であるため、交換玉総数Ｘのうち基準玉数Ｂの倍数の玉については、貸し出しの際の価値と完全に一致する無誤差金額に換算されることになる。具体的に例を挙げると、基準金額Ａが２５円かつ基準玉数Ｂが６玉である場合に、基準玉数Ｂの倍数である２１５４玉は、丸め誤差を含まない８９７５（＝２５×（２１５４／６））円に換算される。
【００５３】
一方、剰余Ｑは、演算部１７ａによって有誤差金額算出部１７ｃへ出力され、この出力を受け付けた有誤差金額算出部１７ｃは、玉単価に剰余Ｑを乗算して、税込単価に含まれる丸め誤差の影響を受ける有誤差金額Ｆを算出する（ステップＳ５０７）。すなわち、剰余Ｑについては、基準玉数Ｂに満たないため、玉単価を乗算することにより、丸め誤差を含む有誤差金額に換算されることになる。具体的に例を挙げると、基準金額Ａが２５円かつ基準玉数Ｂが６玉である場合に、玉の税込単価を４．１７円とすれば、基準玉数Ｂに満たない４玉は、丸め誤差を含む１６．６８（＝４．１７×４）円に換算される。
【００５４】
その後、出庫金額算出部１７ｄは、無誤差金額算出部１７ｂによって算出された無誤差金額Ｅ及び有誤差金額算出部１７ｃによって算出された有誤差金額Ｆを合計して当該景品の出庫金額を算出し（ステップＳ５０８）、該算出した出庫金額を入出庫管理テーブル１６ｃに登録する（ステップＳ５０９）。このとき、合計金額の大部分は無誤差金額によって占められているため、出庫金額算出時における玉の価値が玉貸出時の価値と略同一となり、遊技媒体の単価の丸め誤差による影響を低減することができる。具体的に例を挙げると、無誤差金額Ｅが「８９７５（円）」であり、有誤差金額Ｆが「１６．６８（円）」である場合、これらの合計をして景品「ライター」の出庫金額Ｇを８９９１．６８（＝８９７５＋１６．６８）円と算出し、該算出した景品「ライター」の出庫金額Ｇを入出庫管理テーブル１６ｃに登録する（図４参照）。
【００５５】
続いて、締上げ処理部１７ｅは、当該景品の仕入れ単価Ｈを原価管理テーブル１６ｂから読み出し（ステップＳ５１０）、該読み出した仕入れ単価Ｈに出庫数Ｄを乗算して出庫金額Ｄに対応する仕入れ金額Ｊを算出する（ステップＳ５１１）。具体的に例を挙げると、原価管理テーブル１６ｂから景品「ライター」の仕入れ単価Ｈ（＝５２．００（円））を読み出し、その仕入れ単価Ｈに出庫数Ｄを乗算して出庫金額Ｄに対応する仕入れ金額Ｊを４３１６（＝５２×８３）円と算出する。
【００５６】
そして、締上げ処理部１７ｅは、出庫金額Ｇからその仕入れ金額Ｊを減算して、当該景品の交換粗利Ｋを算出し（ステップＳ５１２）、該算出した景品の交換粗利Ｋを入出庫管理テーブル１６ｃに登録する（ステップＳ５１３）。具体的に例を挙げると、出庫金額Ｇから仕入れ金額Ｊを減算して、景品「ライター」の交換粗利Ｋを４６７５．６８（＝８９９１．６８−４３１６）円と算出し、該算出した景品「ライター」の交換粗利Ｋを入出庫管理テーブル１６ｃに登録する（図４参照）。
【００５７】
その後、演算部１７ａ、無誤差金額算出部１７ｂ、有誤差金額算出部１７ｃ及び出庫金額算出部１７ｄ及び締上げ処理部１７ｅは、入出庫管理テーブル１６ｃに登録されている景品すべてについて交換粗利Ｋが算出されない限りは（ステップＳ５１４否定）、上記のステップＳ５０２〜ステップＳ５１３までの処理を繰り返し行い、入出庫管理テーブル１６ｃにおける登録景品すべてについて交換粗利Ｋを算出すると（ステップＳ５１４肯定）、締上げ処理部１７ｅは、入出庫管理テーブル１６ｃに記憶された本日出庫金額及び本日交換粗利を集計し、それぞれの集計値を入出庫管理テーブル１６ｃに記憶された記憶内容に付した「締上げ票」を印字するようにプリンタ１５に要請し（ステップＳ５１５）、処理を終了する。
【００５８】
ここで、玉貸出時と出庫金額算出時における価値の差について具体例を示す。いま、基準金額Ａを２５円、基準玉数Ｂを６玉、玉単価を４．１７円とし、交換玉総数Ｘが２１５８（＝２６×８３）である場合を考える。この例では、１００円で２４玉が貸し出されることになるため、交換玉総数Ｘの２１５８玉は、貸し出し時には８９９１．６６・・・（＝２１５８×１００／２４）円の価値に相当することとなる。
【００５９】
この交換玉総数Ｘが従来どおり玉単価を基準として出庫金額が算出される場合には、図６−１に示すように、交換玉総数Ｘに玉単価が乗算され、出庫金額Ｇが８９９８．８６（＝２１５８×４．１７）円と算出されることになる。これは、貸し出し時の２１５８玉の価値よりも大きくなっており、その分だけ玉単価の丸め誤差による影響を受けている。
【００６０】
これに対して、図６−２に示すように、交換玉総数Ｘのうち基準玉数Ｂの倍数部分については、基準金額Ａの倍数の無誤差金額に換算すると、交換玉総数Ｘを基準玉数Ｂで除算した商Ｐは３５９（＝２１５８／６）であるため、無誤差金額Ｅは８９７５（＝２５×３５９）円となる。さらに、交換玉総数Ｘを基準玉数Ｂで除算した場合の剰余Ｑは４（＝２１５８％６）であり、この剰余Ｑについてのみ玉単価を乗算して有誤差金額Ｆを求めると、有誤差金額Ｆは１６．６８（＝４．１７×４）円となる。そして、無誤差金額Ｅと有誤差金額Ｆの合計金額、すなわち出庫金額Ｇは８９９１．６８（＝８９７５＋１６．６８）円となり、出庫金額Ｇが玉貸出時の２１５８玉の価値に非常に近くなる。
【００６１】
上述してきたように、本実施例１に係る景品管理装置１０によれば、出庫金額算出時の交換玉総数のうち基準玉数の倍数分については、玉貸出時の価値と完全に同一の金額に換算されるとともに、剰余の玉数については、丸め誤差を含む玉単価が乗算された金額に換算され、これらの合計金額が景品の出庫金額として算出される。このため、当該景品に交換された交換玉総数の大部分が丸め誤差を含まない価値に相当するものとして扱われることになり、玉貸出時と出庫金額算出時における玉の価値を略同一にすることができる。結果として、貸出単位金額に対して貸し出される玉数が調整される場合に玉単価に丸め誤差が生じても、玉単価の丸め誤差による影響が低減された出庫金額を算出することができ、景品の入出庫管理の整合性を担保することが可能である。
【実施例２】
【００６２】
さて、これまで本発明の実施例について説明したが、本発明は上述した実施例以外にも、種々の異なる形態にて実施されてよいものである。そこで、以下では、本発明に含まれる他の実施例を説明する。
【００６３】
例えば、上記した実施例１では、出庫金額Ｇが「交換玉総数Ｘ×玉単価」で求まることに着目し、交換玉総数Ｘを被除数、基準玉数Ｂを法数としたときの除算結果である商Ｐ及び剰余Ｑをもとに無誤差金額Ｅ及び有誤差金額Ｆを算出する「換算」を行う実施例を説明したが、必ずしも被除数を交換玉総数Ｘにする必要はなく、必要玉数Ｃ或いは出庫数Ｄを被除数とした「換算」を行った場合でも、実施例１と同様の効果を得ることができる。
【００６４】
すなわち、本発明では、「出庫金額Ｇ＝交換玉数Ｃ×玉単価×出庫数Ｄ」のうち、交換玉数Ｃ×玉単価（＝景品の販売単価）に着目し、玉単価の丸め誤差による影響が低減された景品の販売単価を算出するようにしてもよい。つまり、景品の交換玉数Ｃの一部を玉貸出時における貸出玉数に対する貸出金額と比率が等しい無誤差金額に換算し、該換算した無誤差金額を含み交換玉数に相当する販売単価及び景品の出庫数Ｄを乗算して、当該景品の出庫金額を算出する。
【００６５】
より具体的には、例えば上述した景品「ライター」の販売単価を例にして説明すると、交換玉数Ｃ（＝２６玉）を基準玉数Ｂ（＝６玉）で除算して商Ｐ2（＝２６／６）及び剰余Ｑ2（＝２６％６）を算出し、このうち、商Ｐ2（＝４）には基準金額Ａ（＝２５円）を乗算して無誤差金額Ｅ2を１００（＝４×２５）と算出し、また、剰余Ｑ2（＝２）には玉単価（＝４．１７）を乗算して有誤差金額Ｆ2を８．３４と算出し、これらを合算して当該景品の販売単価Ｒを１０８．３４と算出する。このようにして算出した販売単価Ｒに出庫数Ｄを乗算すれば景品の出庫金額Ｇを算出することができる。
【００６６】
ここで、実施例１と同様に、玉貸出時と販売単価算出時における価値の差について具体例を示す。いま、基準金額Ａを２５円、基準玉数Ｂを６玉、玉単価を４．１７円とし、交換玉数Ｃが２６である場合を考える。この例では、１００円で２４玉が貸し出されることになるため、交換玉数Ｃの２６玉は、貸し出し時には１０８．３３・・・（＝２６×１００／２４）円の価値に相当することとなる。
【００６７】
この交換玉数Ｃが従来どおり玉単価を基準として販売単価Ｒが算出される場合には、図７−１に示すように、交換玉数Ｃに玉単価が乗算され、販売単価Ｒが１０８．４２（＝２６×４．１７）円と算出されることになる。これは、貸し出し時の２６玉の価値よりも大きくなっており、その分だけ玉単価の丸め誤差による影響を受けている。
【００６８】
これに対して、図７−２に示すように、交換玉数Ｃのうち基準玉数Ｂの倍数部分については、基準金額Ａの倍数の無誤差金額Ｅ2に換算すると、交換玉数Ｃを基準玉数Ｂで除算した商Ｐ2は４（＝２６／６）であるため、無誤差金額Ｅ2は１００（＝２５×４）円となる。さらに、交換玉数Ｃを基準玉数Ｂで除算した場合の剰余Ｑは２（＝２６％６）であり、この剰余Ｑ2についてのみ玉単価を乗算して有誤差金額Ｆ2を求めると、有誤差金額Ｆ2は８．３４（＝４．１７×２）円となる。そして、無誤差金額Ｅ2と有誤差金額Ｆ2の合計金額、すなわち販売単価Ｒは１０８．３４（＝１００＋８．３４）円となり、販売単価Ｒが玉貸出時の２６玉の価値に非常に近くなる。
【００６９】
したがって、販売単価算出時の交換玉数のうち基準玉数の倍数分については、玉貸出時の価値と完全に同一の金額に換算されるとともに、剰余の玉数については、丸め誤差を含む玉単価が乗算された金額に換算され、これらの合計金額が景品の販売単価として算出される。このため、当該景品と等価に交換される交換玉数の大部分が丸め誤差を含まない価値に相当するものとして扱われることになり、玉貸出時と販売単価算出時における玉の価値を略同一にすることができる。結果として、貸出単位金額に対して貸し出される玉数が調整される場合に玉単価に丸め誤差が生じても、玉単価の丸め誤差による影響が低減された景品の販売単価、ひいては出庫金額を算出することができ、景品の入出庫管理の整合性を担保することが可能である。
【００７０】
また、本発明では、景品の出庫数及び単位遊技媒体数の積から得られる仮想交換遊技媒体総数の一部を遊技媒体貸出時における貸出遊技媒体数に対する貸出金額と比率が等しい無誤差金額に換算し、該換算した無誤差金額を含み出庫数に相当する交換遊技媒体数を単位遊技媒体とした時の出庫金額及び景品の交換遊技媒体数を乗算して、当該景品の出庫金額を算出するようにしてもよい。ここで言う「単位遊技媒体数」は、景品の交換玉数を仮に１玉として、出庫数を単位変換させるために便宜上もうけられたものであり、この単位遊技媒体数を出庫数に乗算してから無誤差金額に換算すると、景品の交換玉数を仮に１玉としたときの出庫金額が求まるので、それに実際の交換玉数を乗算することで、遊技媒体単価の丸め誤差による影響が低減された実際の出庫金額を算出することができるようにしている。
【００７１】
すなわち、「出庫金額Ｇ＝玉単価×出庫数Ｄ×交換玉数Ｃ」のうち、（単位玉）×玉単価×出庫数Ｄ（＝交換玉数を単位玉とした時の出庫金額）に着目し、玉単価の丸め誤差による影響が低減された単位玉出庫金額を算出する。つまり、景品の出庫数Ｄ及び単位玉の積から得られる仮想交換玉総数Ｖ（＝出庫数Ｄ）の一部を玉貸出時における貸出玉数に対する貸出金額と比率が等しい無誤差金額に換算し、該換算した無誤差金額を含み出庫数に相当する交換玉数を単位玉とした時の出庫金額及び景品の交換玉数Ｃを乗算して、当該景品の出庫金額を算出する。
【００７２】
より具体的には、例えば上述した景品「ライター」の販売単価を例にして説明すると、交換玉数を単位玉とした時の仮想交換玉総数Ｖ（出庫数Ｄ×単位玉）を仮定し、その仮想交換玉総数Ｖ（＝８３玉）を基準玉数Ｂ（＝６玉）で除算して商Ｐ3（＝８３／６）及び剰余Ｑ3（＝８３％６）を算出し、このうち、商Ｐ3（＝１３）には基準金額Ａ（＝２５円）を乗算して無誤差金額Ｅ3を３２５（＝１３×２５）と算出し、また、剰余Ｑ3（＝５）には玉単価（＝４．１７）を乗算して有誤差金額Ｆ3を２０．８５と算出し、これらを合算して単位玉出庫金額Ｕを３４５．８５と算出する。このようにして算出した単位玉出庫金額Ｕに交換玉数Ｃを乗算すれば景品の出庫金額Ｇを算出することができる。
【００７３】
ここで、実施例１と同様に、玉貸出時と単位玉出庫金額算出時における価値の差について具体例を示す。いま、基準金額Ａを２５円、基準玉数Ｂを６玉、玉単価を４．１７円とし、出庫数Ｄが８３個である場合を考える。この例では、１００円で２４玉が貸し出されることになるため、仮想交換玉総数Ｖの８３玉は、貸し出し時には３４５．８３３・・・（＝８３×１００／２４）円の価値に相当することとなる。
【００７４】
この仮想交換玉総数Ｖが従来どおり玉単価を基準として単位玉出庫金額Ｕが算出される場合には、図８−１に示すように、仮想交換玉総数Ｖに玉単価が乗算され、単位玉出庫金額Ｕが３４６．１１（＝８３×４．１７）円と算出されることになる。これは、貸し出し時の８３玉の価値よりも大きくなっており、その分だけ玉単価の丸め誤差による影響を受けている。
【００７５】
これに対して、図８−２に示すように、仮想交換玉総数Ｖのうち基準玉数Ｂの倍数部分については、基準金額Ａの倍数の無誤差金額Ｅ3に換算すると、仮想交換玉総数Ｖを基準玉数Ｂで除算した商Ｐ3は１３（＝８３／６）であるため、無誤差金額Ｅ3は３２５（＝２５×１３）円となる。さらに、仮想交換玉総数Ｖを基準玉数Ｂで除算した場合の剰余Ｑは５（＝８３％６）であり、この剰余Ｑ3についてのみ玉単価を乗算して有誤差金額Ｆ3を求めると、有誤差金額Ｆ3は２０．８５（＝４．１７×５）円となる。そして、無誤差金額Ｅ3と有誤差金額Ｆ3の合計金額、すなわち単位玉出庫金額Ｕは３４５．８５（＝３２５＋２０．８５）円となり、単位玉出庫金額Ｕが玉貸出時の８３玉の価値に非常に近くなる。
【００７６】
したがって、単位玉出庫金額算出時の仮想交換玉総数（＝出庫数）のうち基準玉数の倍数分については、玉貸出時の価値と完全に同一の金額に換算されるとともに、剰余の玉数については、丸め誤差を含む玉単価が乗算された金額に換算され、これらの合計金額が単位玉出庫金額として算出される。このため、交換玉数を単位玉とした時の仮想交換玉総数の大部分が丸め誤差を含まない価値に相当するものとして扱われることになり、玉貸出時と単位玉出庫金額算出時における玉の価値を略同一にすることができる。結果として、貸出単位金額に対して貸し出される玉数が調整される場合に玉単価に丸め誤差が生じても、玉単価の丸め誤差による影響が低減された単位玉出庫金額、ひいては出庫金額を算出することができ、景品の入出庫管理の整合性を担保することが可能である。
【００７７】
また、上記した実施例１では、遊技媒体貸出時における貸出玉数に対する貸出金額に等しい無誤差金額を求めるための「比率」として「６玉：２５円」を用いた実施例を説明したが、本発明はこれに限定されるものではなく、「１２玉：５０円」や「３玉：１２．５円」など任意の「比率」を用いることができる。
【００７８】
さらに、上記した実施例１では、交換玉総数Ｘを基準玉数Ｂで除算して商Ｐ及び剰余Ｑを算出し、このうち商Ｐに基準金額Ａを乗算して無誤差金額Ｅを算出する実施例を説明したが、本発明はこれに限定されるものではなく、交換玉総数Ｘのうち基準玉数Ｂの倍数に相当する分を基準金額Ａの倍数である無誤差金額Ｅに換算することができる。
【００７９】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００８０】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００８１】
以上のように、本発明に係る景品管理装置及び景品管理方法は、遊技媒体単価の丸め誤差による影響が低減された出庫金額を算出し、もって景品の入出庫管理の整合性を担保することができる景品管理装置及び景品管理方法に適している。
【図面の簡単な説明】
【００８２】
【図１】実施例１に係る景品管理装置１０の構成を示す機能ブロック図である。
【図２】交換管理テーブル１６ａに記憶される情報の構成例を示す図である。
【図３】原価管理テーブル１６ｂに記憶される情報の構成例を示す図である。
【図４】入出庫管理テーブル１６ｃに記憶される情報の構成例を示す図である。
【図５】実施例１に係る景品管理装置１０の締上げ処理の手順を示すフローチャートである。
【図６−１】出庫金額算出時の金額換算の一例を示す図である。
【図６−２】出庫金額算出時の金額換算の他の一例を示す図である。
【図７−１】販売単価算出時の金額換算の一例を示す図である。
【図７−２】販売単価算出時の金額換算の他の一例を示す図である。
【図８−１】単位玉出庫金額算出時の金額換算の一例を示す図である。
【図８−２】単位玉出庫金額算出時の金額換算の他の一例を示す図である。
【符号の説明】
【００８３】
１０    景品管理装置
１１ａ  遊技客用操作部
１１ｂ  遊技客用表示部
１２ａ  従業員用操作部
１２ｂ  従業員用表示部
１３    通信制御ＩＦ部
１４    バーコードリーダ
１５    プリンタ
１６    記憶部
１６ａ  交換管理テーブル
１６ｂ  原価管理テーブル
１６ｃ  入出庫管理テーブル
１７    制御部
１７ａ  演算部
１７ｂ  無誤差金額算出部
１７ｃ  有誤差金額算出部
１７ｄ  出庫金額算出部
１７ｅ  締上げ処理部
【図１】
2008093033.tif 000003
【図２】
2008093033.tif 000004
【図３】
2008093033.tif 000005
【図４】
2008093033.tif 000006
【図５】
2008093033.tif 000007
【図６−１】
2008093033.tif 000008
【図６−２】
2008093033.tif 000009
【図７−１】
2008093033.tif 000010
【図７−２】
2008093033.tif 000011
【図８−１】
2008093033.tif 000012
【図８−２】
2008093033.tif 000013